(57)【特許請求の範囲】
【請求項１】
開閉器（１）等のケース（３）の外部に突出固定し且つ相互に適宜絶縁空間（ｇ）を保持して離間する複数のブッシング（２）であって、
碍管（４）の貫通孔（４ａ）に中心導体（５）を貫通し、
当該貫通した中心導体（５）を、前記碍管（４）に対し、廻止ナット（６）、スプリングワッシャー（７）、締付ナット（８）、平ワッシャー（９）により締付固定し、先端には電線接続端子（１０）を圧着接続し、
前記電線接続端子（１０）を絶縁カバー（１９）で覆うとともに、
前記廻止ナット（６）と、
前記スプリングワッシャー（７）と、
前記締付ナット（８）と、
前記平ワッシャー（９）と、
前記電線接続端子（１０）の一部と
のそれぞれの外周面に対し、内面（１２ａ）に接着剤（１３）を塗布してなる一つの絶縁性収縮チューブ（１２）を一体的に被着したことを特徴とする開閉器等におけるリードレス型ブッシング。
【発明の詳細な説明】
【０００１】
【発明の属する技術分野】
本発明は高圧配電線路に使用するケース入り開閉器のブッシング部の改良に係り、特にリードレス型ブッシングにおいて、隣接するブッシング相互間での相間短絡等の事故を誘発させないようにすると同時に該ブッシングの中心導体にネジ着した締付ナットなどが緩まないように工夫した構造に関する。
【０００２】
【従来の技術】
高圧配電線路には線路を区分するためのケース入り開閉器が適宜間隔で電柱に施設されており、同開閉器は該開閉器のケース外に突出固定した３相の電源側及び負荷側の各ブッシングに対しその電線接続端子に、それぞれ絶縁電線からなる配電線が接続されて高圧配電線路を形成している。上記開閉器においては、そのブッシング構造を大別すると、組立時にブッシング部に予めリード線を組み付けて一体化したリード付型と、組立出荷時にはリード線を備えず取付（使用）現場においてブッシングの電線接続端子に対し絶縁電線からなるリード線を接続するようにしたリードレス型とがある。そして、特に後者のリードレス型ブッシングにおいては、開閉器の取付工事の際、電線接続端子に絶縁電線を接続した後、通電状態において充電部となる同端子に絶縁カバーを装着して充電部露出を防止している。
【０００３】
【発明が解決しようとする課題】
しかしながら、従来型のリードレス型ブッシングにおいては、絶縁カバー外に位置する充電部分例えば中心導体の僅か一部が依然として露出状態にあるものがあった。そのため工事の際に使用するバインド線や鳥が営巣のために運んで来る針金等が隙間を経て入り込み、露出する充電部にうっかり接触して接近する接地側金具や開閉器の隣接相のブッシングとの間で地絡事故や相間短絡事故を招いたりする虞があった。なお、充電部を完全に覆うタイプもあるがこれらの構造は大幅な設計変更を必要としたり、コストアップが避けられないと言う問題があった。
【０００４】
【課題を解決するための手段】
本願は上記課題を解決するためのもので、開閉器（１）等のケース（３）の外部に突出固定し且つ相互に適宜絶縁空間（ｇ）を保持して離間する複数のブッシング（２）であって、碍管（４）の貫通孔（４ａ）に中心導体（５）を貫通し、当該貫通した中心導体（５）を、前記碍管（４）に対し、廻止ナット（６）、スプリングワッシャー（７）、締付ナット（８）、平ワッシャー（９）により締付固定し、先端には電線接続端子（１０）を圧着接続し、前記電線接続端子（１０）を絶縁カバー（１９）で覆うとともに、前記廻止ナット（６）と、前記スプリングワッシャー（７）と、前記締付ナット（８）と、前記平ワッシャー（９）と、前記電線接続端子（１０）の一部とのそれぞれの外周面に対し、内面（１２ａ）に接着剤（１３）を塗布してなる一つの絶縁性収縮チューブ（１２）を一体的に被着したことを特徴とする開閉器等におけるリードレス型ブッシングを提案するものである。
【０００５】
【発明の実施の形態】
以下、本願発明の実施例について図１乃至図５に基づき具体的に説明する。
２（２、２）はケース入り開閉器１のリードレス型ブッシングであり、ケース３の電源側の側面３ａ及び負荷側の側面（特に図示しない）にはそれぞれＵ相、Ｖ相、Ｗ相の３相のブッシングが隣接相に対し適宜絶縁空間ｇを保持して取り付けられている。
【０００６】
ブッシング２は碍管４の貫通孔４ａにスタッドボルト型の中心導体５を挿通し、ケース外側においては廻止ナット６、スプリングワッシャー７、締付ナット８、平ワッシャー９により締付固定された後、圧着端子形の電線接続端子１０が中心導体の端部５ａに圧着接続されている。
【０００７】
また、ケース内側においては鍔状の押圧部５ｂを碍管４の貫通孔４ａの内端面４ｂにＯリング１１を介して取り付けられている。なお、碍管４の貫通孔４ａを貫通する上記中心導体５は２分割可能な分割タイプであり、貫通孔４ａ内でネジ接続部５ｃにより一体連結される構造である。
【０００８】
１２は中心導体５が碍管４に締付固定された状態で上記、廻止ナット６、スプリングワッシャー７、締付ナット８、平ワッシャー９、電線接続端子１０の外周を覆うようにして被着したゴム或いは樹脂系の収縮チューブであり、チューブ形態のものを被被覆物に被せ、ドライヤー等で加熱収縮させ被着する熱収縮型のものを使用しているが、この際、同チューブにはさらにその内面１２ａに接着剤１３が塗布されていて被着時、一段と被被覆物に対する密着性が高められるようになっている。
【０００９】
１４はシール用のシリコンゴムあるは樹脂系の充填材、１５は碍管４の鍔状の取付用フランジ４ｃに嵌装された押え金具であり、ブッシング２をケース３の側面３ａに貫装取付するものである。１６はフランジの押圧部４ｄとケース３の外面３ａ間に介在するＯリングを示す。
【００１０】
また、１７はＥＰＲ（耐トラッキング性のブチルゴム）等のゴムからなる杯形に成形した遮蔽体であり、中心には廻り止めを考慮した六角形の取付孔１７ａを形成し、また前面側には碍管４の溝部４ｆを遮蔽するための笠状の遮蔽部１７ｂを形成し、また、後面側には絶縁カバー取付用の環状の取付突起１７ｃを形成し、さらに上部側には周面１７ｄから中心の取付孔１７ａに至る取付用の割部１７ｅが形成されており、同遮蔽体１７は、割部１７ｅより左右両側に開いた状態でその取付孔１７ａを中心導体５に対し上方から挿着し、接着後、ネジ１８により中心導体に止着するものである。
【００１１】
また、１９は遮蔽体１７の取付突起１７ｃに取付したＥＰＲ（耐トラッキング性のブチルゴム）等のゴムからなる絶縁カバーであり、充電部となる電線接続端子１０の外周面を覆って充電部が露出しないようにしている。
【００１２】
２０は電線接続端子１０にネジ２１により締付接続された絶縁電線を示す。なお、ブッシング部位における充電部は、絶縁カバー１９の遮蔽体１７への装着で、同カバーと、上記廻止ナット６、スプリングワッシャー７、締付ナット８、電線接続端子１０の一部の外周に被着した収縮チューブ１２とにより充電部露出が皆無となる。
【００１３】
なお、この種のリードレス型ブッシングは開閉器に限定されること無く変圧器等のケース入り電気機器等にも使用可能である。
【００１４】
【発明の効果】
以上の構成のように絶縁カバー外に位置し、その一部が充電部となる中心導体などの外周面に対し、絶縁性の熱収縮チューブを一体的に被着して該充電部を覆う簡単な構造のため、大幅に設計変更する必要もなく相間の絶縁性を高めることが出来、さらにコスト高や作業性の低下も招ねいたりしない。
【００１５】
また、上記被着する収縮チューブの内面にはさらに接着剤を塗布して、廻止ナット６、締付ナット８、電線接続端子１０に対する密着性を高めたため、被着後に不用意にいざったりせず、簡単且つ確実に絶縁被覆作業が行なえる。
【図面の簡単な説明】
【図１】本願発明の実施例であるリードレス型ブッシングの要部断面図。
【図２】ブッシングの全体を示す断面図。
【図３】本願発明のリードレス型ブッシングを取付けた絶縁カバーの取外状態のケース入り開閉器の側面図。
【図４】遮蔽体の正面図（ａ）、左側面図（ｂ）、背面図（ｃ）、Ａ−Ａ断面図（ｄ）、Ｂ−Ｂ断面図（ｅ）を示す。
【図５】絶縁性収縮チューブの正面図。
【符号の説明】
１      開閉器
２      ブッシング
３      ケース
３ａ    側面
５      中心導体
１２    絶縁性収縮チューブ
１２ａ  内面
１９    絶縁カバー
ｇ      絶縁空間
【図１】
0004700820.tif 000002
【図２】
0004700820.tif 000003
【図３】
0004700820.tif 000004
【図４】
0004700820.tif 000005
【図５】
0004700820.tif 000006